(57)【要約】【解決手段】携帯無線通信デバイスのために、複数のリンクされた表示スクリーンと複数の物理キーとを備えるユーザインターフェースを準備することによって、ユーザが携帯無線通信デバイスとやり取りするのを支援する。リンクされた表示スクリーンの内の１つは、現行表示スクリーンとして表示され、選択された物理キーに対応するキー押下が受け付けられる。現行表示スクリーンと直前に表示された前回表示スクリーンとに基づいて、次の表示スクリーン上に、結果としての動作が表示される。【選択図】図２
2009508194.tif 000002
【特許請求の範囲】
【請求項１】
携帯無線通信デバイスとやり取りするユーザを支援する方法であって、 
前記携帯無線通信デバイスのためのユーザインターフェースであって、複数のリンクされた表示スクリーンと複数の物理キーとを備えるユーザインターフェースを準備し
前記リンクされた表示スクリーンの内の１つを現行表示スクリーンとして表示し、
選択された物理キーのキー押下を受け付け、
前記現行表示スクリーンと直前に表示された前回表示スクリーンとに基づいて、次の表示スクリーン上に、結果の動作を表示すること、
を備える、方法。
【請求項２】
請求項１に記載の方法はさらに、
前記選択された物理キーの押下の継続時間を決定し、
前記継続時間が、所定の時間よりも長い場合に、前記継続時間に基づいて、前記結果の動作に対して加速の調節を施すこと、
を備える、方法。
【請求項３】
請求項２に記載の方法はさらに、
前記現行表示スクリーン上に複数の選択可能なアイコンを表示することを備える、方法。
【請求項４】
請求項３に記載の方法において、前記複数の物理キーは、現在表示されている前記アイコンの間におけるナビゲートのために用いられるナビゲーション信号を供給するよう構成された複数のナビゲーションキーを含む、方法。
【請求項５】
請求項４に記載の方法において、前記複数の物理キーは、キーパッド入力信号を供給するよう構成された複数のキーパッドキーを含む、方法。
【請求項６】
請求項５に記載の方法において、前記携帯無線通信デバイスは、携帯電話と、携帯情報端末（ＰＤＡ）と、デジタルマルチメディアプレーヤとを含む群から選択される、方法。
【請求項７】
請求項６に記載の方法において、前記キーパッド入力信号は、メモリデバイスを備える前記携帯電話による通信セッションを開始するのに適している、方法。
【請求項８】
請求項７に記載の方法はさらに、
デジタルファイルのダウンロード動作を開始するために配置されている特定のキーパッドのキー押下を受け付け、
前記デジタルファイルのダウンロードキー押下に応じて、前記デジタルデータファイルをダウンロードし、
前記デジタルデータファイルを前記メモリデバイスに格納すること、
を備える、方法。
【請求項９】
請求項８に記載の方法において、前記デジタルデータファイルは、デジタルオーディオファイルである、方法。
【請求項１０】
請求項９に記載の方法において、前記ダウンロードされたデジタルオーディオファイルは、前記メモリデバイスに格納されたデジタルオーディオファイルのライブラリに組み込まれる、方法。
【請求項１１】
請求項１０に記載の方法において、前記複数のリンクされた表示スクリーンは、前記グラフィカルユーザインターフェースのホームスクリーンであるメインメニュースクリーンであって、ユーザが、少なくとも、選択可能なマスタープレイリスト項目、選択可能なアーティスト項目のリスト、選択可能なすべてのアルバム項目のリスト、および、前記メモリデバイスに格納された前記デジタルオーディオファイルに対応する選択可能な曲項目のリストを見てやり取りするためのメインメニュースクリーンを含む、方法。
【請求項１２】
請求項１１に記載の方法はさらに、
前記マスタープレイリストスクリーン項目のユーザ選択を受け付け、
前記携帯電話に格納されたすべてのプレイリストの名前に対応する選択可能な項目を挙げるプレイリスツスクリーンを表示すること、
を備える、方法。
【請求項１３】
請求項１２に記載の方法はさらに、
前記プレイリストスクリーンの前記項目の内の、選択されたプレイリストに対応する１項目のユーザ選択を受け付け、
前記選択されたプレイリストに対応するプレイリストスクリーンであって、再生される順序で、前記内の曲の名前に対応する選択可能な項目を挙げるリストを含むプレイリストスクリーンを表示すること、
を備える、方法。
【請求項１４】
請求項１３に記載の方法において、ユーザは、前記プレイリスト内の前記曲の前記順序を望むように配列できる、方法。
【請求項１５】
請求項１４に記載の方法はさらに、
前記項目の内の、選択された曲に対応する１項目のユーザ選択を受け付け、
前記選択された曲に関連する再生中スクリーンを表示すること、
を備える、方法。
【請求項１６】
請求項１１に記載の方法はさらに、
前記選択可能なアーティスト項目の内の１項目のユーザ選択を受け付け、
前記携帯電話に格納されたすべてのアーティストの名前に対応する選択可能な項目を挙げるすべてのアーティストスクリーンを表示すること、
を備える、方法。
【請求項１７】
請求項１６に記載の方法はさらに、
前記すべてのアーティストスクリーンの前記項目の内の、選択されたアーティストに対応する１項目のユーザ選択を受け付け、
前記選択されたアーティストに対応するアーティストスクリーンであって、再生される順序で、前記メモリデバイスに格納された曲の名前に対応する選択可能な項目を挙げるリストを含むアーティストスクリーンを表示すること、
を備える、方法。
【請求項１８】
請求項１７に記載の方法において、ユーザは、前記アーティストスクリーン内の前記曲の前記順序を望むように配列できる、方法。
【請求項１９】
請求項１８に記載の方法はさらに、
前記項目の内の、選択された曲に対応する１項目のユーザ選択を受け付け、
前記選択された曲に関連する再生中スクリーンを表示すること、
を備える、方法。
【請求項２０】
請求項１１に記載の方法はさらに、
前記すべてのアルバム項目の内の１項目のユーザ選択を受け付け、
前記メモリデバイスに格納されたすべてのアルバムの名前に対応する選択可能な項目を挙げるアルバムスクリーンを表示すること、
を備える、方法。
【請求項２１】
請求項２０に記載の方法はさらに、
前記アルバムスクリーンの前記項目の内の、選択されたアルバムに対応する１項目のユーザ選択を受け付け、
前記選択されたアルバムに対応するアルバムスクリーンであって、再生される順序で、前記内の曲の名前に対応する選択可能な項目を挙げるリストを含むアルバムスクリーンを表示すること、
を備える、方法。
【請求項２２】
請求項２１に記載の方法において、ユーザは、前記アルバムスクリーン内のの前記順序を望むように配列できる、方法。
【請求項２３】
請求項２２に記載の方法はさらに、
前記項目の内の、選択された曲に対応する１項目のユーザ選択を受け付け、
前記選択された曲に関連する再生中スクリーンを表示すること、
を備える、方法。
【請求項２４】
請求項２１に記載の方法はさらに、
前記曲項目のユーザ選択を受け付け、
前記携帯電話に格納されたすべての曲の名前に対応する選択可能な項目を挙げる曲スクリーンを表示すること、
を備える、方法。
【請求項２５】
請求項２１に記載の方法はさらに、
前記曲スクリーンの前記項目の内の、選択されたプレイリストに対応する１項目のユーザ選択を受け付け、
前記選択された曲に関連する前記再生中スクリーンを表示すること、
を備える、方法。
【請求項２６】
複数の選択可能な項目を表示するよう構成された表示スクリーンと、複数の物理キーとを有する携帯電話において、前記選択可能な項目とやり取りするユーザを支援する方法であって、
前記選択可能な項目を前記表示スクリーン上に表示し、
選択された物理キーのキー押下を受け付け、
前記選択された物理キーの押下の継続時間を決定し、
前記受け付けられたキー押下に基づいて、結果の動作を前記表示スクリーン上に表示し、
前記継続時間が、所定の時間よりも長い場合に、前記継続時間に基づいて、前記結果の動作に対して加速の調節を施すこと、
を備える、方法。
【請求項２７】
請求項２６に記載の方法はさらに、
前記現在の表示スクリーン上に複数の選択可能なアイコンを表示することを備える、方法。
【請求項２８】
請求項２７に記載の方法において、前記複数の物理キーは、現在表示されている前記アイコンの間におけるナビゲートのために用いられるナビゲーション信号を供給するよう構成された複数のナビゲーションキーを含む、方法。
【請求項２９】
請求項２８に記載の方法において、前記複数の物理キーは、キーパッド入力信号を供給するよう配置された複数のキーパッドキーを含む、方法。
【請求項３０】
階層的に配列されたユーザインターフェースによって、個人用携帯無線デバイスとのユーザのやり取りを支援する方法であって、
ユーザ選択可能な項目の第１のリストを有する第１の階位のユーザインターフェースを表示し、前記ユーザ選択可能な項目の各々は、対応する第２の階位のユーザインターフェース上に表示される第２のリストのユーザ選択可能な項目の内の少なくとも１つを指し示し、
前記第１のリストから、前記ユーザ選択可能な項目の内の１項目のユーザ選択を受け付け、
前記第１のリストからの前記ユーザ選択可能な項目の内の前記選択された１項目に基づいて、前記第２の階位のユーザインターフェースに自動的に移行して表示すること、
を備え、
前記第２のリストの前記ユーザ選択可能な項目の各々は、前記第１のリストの前記ユーザ選択可能な項目の内の対応する１項目を指し示すと共に、対応する第３の階位のユーザインターフェースに表示される第３のリストのユーザ選択可能な項目の内の少なくとも１項目を指し示し、前記第２のリストの前記ユーザ選択可能な項目の各々は、前記第１のリストの前記ユーザ選択可能な項目とは異なる、方法。
【請求項３１】
請求項Ｂ１に記載の方法であって、前記個人用携帯無線デバイスは、携帯電話である、方法。
【発明の詳細な説明】
【技術分野】
【０００１】
本発明は、一般に、有線および無線両方の携帯通信デバイスに関し、特に、携帯無線通信デバイスで利用され、ユーザが、そこに格納されたファイルを取り出したりアクセスしたりする際の支援に適したグラフィカルユーザインターフェースに関する。
【背景技術】
【０００２】
最近の家庭用電化製品の発達には、携帯電話、携帯情報端末（ＰＤＡ）、ＭＰ３プレーヤ、ミニディスクプレーヤなど、携帯通信デバイスの導入が含まれている。例えば、ＭＰ３プレーヤの場合、ＭＰ３ファイルの形態の多くのデジタルオーディオファイルが、ＭＰ３プレーヤが備える記憶媒体に格納される。ＭＰ３プレーヤの場合、例えば、ＭＰ３プレーヤのユーザは、ＭＰ３プレーヤ内に存在する音楽ジャンル、作者、アルバム、または、ＭＰ３ファイルに関する他の任意の分類に基づいて、特定の１または複数のファイルを調べて選択することができる必要がある。他の例として、携帯電話およびＰＤＡは、静止画およびビデオのキャプチャ機能を備えると共に、情報および／またはファイルを探して、探し出したものを取り出す新規の効率的な方法を必要とする個人情報（電話番号、住所など）の保存場所として機能するように改良されてきた。
【０００３】
携帯電話、マルチメディアプレーヤなどの携帯通信デバイスにおいて、記憶されたデータをユーザフレンドリーかつ効率的に取り出すことを可能にするユーザインターフェースが求められている。
【発明の開示】
【０００４】
本明細書に記載の発明は、格納されたマルチメディアアセットファイルのユーザフレンドリーおよび効率的な取り出しを提供するためのユーザインターフェースに関する。一実施形態において、携帯無線通信デバイスとやり取りするユーザを支援する方法が開示されている。この方法は、少なくとも、前記携帯無線通信デバイスのための複数のリンクされた表示スクリーンと複数の物理キーとを備えるユーザインターフェースを準備し、前記リンクされた表示スクリーンの内の１つを現行表示スクリーンとして表示し、選択された物理キーのキー押下を受け付け、前記現行表示スクリーンと直前に表示された前回表示スクリーンとに基づいて、次の表示スクリーン上に、結果の動作を表示することを含む。
【０００５】
さらに別の実施形態では、携帯電話上に表示された選択可能な項目とやり取りするユーザを支援する方法が開示されている。この方法は、少なくとも、前記選択可能な項目を前記表示スクリーン上に表示し、選択された物理キーのキー押下を受け付け、前記選択された物理キーの押下の継続時間を決定し、前記受け付けられたキー押下に基づいて、結果の動作を前記表示スクリーン上に表示し、前記継続時間が、所定の時間よりも長い場合に、前記継続時間に基づいて、前記結果の動作に対して加速の調節を施すこと含む。
【０００６】
さらに別の実施形態では、階層的に並べられたユーザインターフェースによって、個人用携帯無線デバイスとのユーザのやり取りを支援する方法であって、ユーザ選択可能な項目の第１のリストを有する第１の階位のユーザインターフェースを表示し、前記ユーザ選択可能な項目の各々は、対応する第２の階位のユーザインターフェース上に表示される第２のリストのユーザ選択可能な項目の内の少なくとも１つを指し示し、前記第１のリストから、前記ユーザ選択可能な項目の内の１項目のユーザ選択を受け、前記第１のリストからの前記ユーザ選択可能な項目の内の前記選択された１項目に基づいて、前記第２の階位のユーザインターフェースに自動的に移行して表示し、前記第２のリストの前記ユーザ選択可能な項目の各々は、前記第１のリストの前記ユーザ選択可能な項目の内の対応する１項目を指し示すと共に、対応する第３の階位のユーザインターフェースに表示される第３のリストのユーザ選択可能な項目の内の少なくとも１項目を指し示し、前記第２のリストの前記ユーザ選択可能な項目の各々は、前記第１のリストの前記ユーザ選択可能な項目とは異なることを含む方法が開示されている。
【０００７】
本発明のこれらおよび他の特徴については、添付の図面を参照しつつ、本発明の詳細な説明において、詳細に説明する。
【発明を実施するための最良の形態】
【０００８】
以下では、本発明の好ましい実施形態について、詳細に説明する。好ましい実施形態の一例は、添付の図面に図示されている。本発明は、好ましい実施形態に即して説明されているが、本発明を１つの好ましい実施形態に限定することを意図するものではない。逆に、添付の特許請求の範囲で規定される本発明の主旨および範囲に含まれる代替物、変形物、および、等価物を網羅することが意図されている。
【０００９】
データを記憶する能力の急速な進歩により、ＭＰ３プレーヤ、携帯電話、ＰＤＡなどの個人用通信デバイスは、数百ないし数千のデータファイルを収容し、１または複数のファイルの選択、分類、または、取り出しを含む作業、すなわち、実に困難な作業を実行できるようになった。したがって、本明細書に記載された本発明は、携帯通信デバイスで利用されるデータファイルの効率的な取り出しを実現するユーザフレンドリーなユーザインターフェースを提供するのに適したものである。携帯通信デバイスは、無線通信デバイスと、サーバまたは他のデバイスに対してデータリンク（ケーブルなど）によって接続される通信デバイスとを含む。
【００１０】
記載されている実施形態において、個人用通信デバイスは、グラフィカルユーザインターフェース（ＧＵＩ）の表示に適した表示スクリーンと、ユーザによる入力イベントを受け付けるよう構成された複数の入力センサ（ボタン、ダイヤル、ホイールなど）とを有するポケットサイズの無線通信デバイス（携帯電話など）の形態を取る。かかるユーザによる入力は、デジタルメディア、オーディオファイル、画像ファイル、または、ビデオファイルなど、特定のファイルを取り出すためのユーザによるコマンドを含みうる。
【００１１】
一実施形態では、ユーザのファイル選択手順を容易にする階層的に配列されたグラフィカルユーザインターフェースが提供されている。この特定の実施形態では、第１の階位（ホームインターフェースとも呼ぶ）は、最上位のユーザ選択可能な項目を提供し、それら項目の内の各々が選択されると、選択された項目に関連する低位のユーザインターフェースへの自動的な移行が行われる。記載されている実施形態の一つでは、低位のインターフェースは、高位のユーザインターフェースから事前に選択された項目に関連する他のユーザ選択可能な項目を含む。このように、ユーザは、一部の例では直接的な移行によって、高位のインターフェースから低位のインターフェースに（および、その逆に）、自動的に移行できる。別の例では、ユーザは、高位のインターフェースから低位のインターフェースに（および、その逆に）、段階的に移行することが可能であり、それにより、事前に選択された入力項目にそれぞれ直接関連する任意の数のユーザ選択可能な入力項目を有する各中間インターフェースが表示される。
【００１２】
具体的な一実施形態では、携帯マルチメディアデバイスは、様々なユーザインターフェースを表示するよう構成された表示スクリーンと、それに対応するユーザ入力デバイスとを有するポケットサイズのマルチメディアデバイス（携帯情報端末、個人用ＭＰ３プレーヤ／レコーダなど）である。ユーザ入力デバイスは、通例は、手動操作のスイッチ、ボタン、ダイヤル、ホイール、または、その他同様の手段である。したがって、本明細書では、（多くのマルチメディアアセットを格納できる）携帯マルチメディアデバイスを参照して、本発明の説明を行う。例えば、マルチメディアデバイスがマルチメディアアセットプレーヤである場合には、マルチメディアアセットは、オーディオファイル、画像ファイル、ビデオファイル、または、その他任意の適切にフォーマットされたデータファイルを含みうる。
【００１３】
ここで、図１は、本発明の一実施形態に従って、携帯マルチメディアデバイスの一例（すなわち、メディアプレーヤ）１００を示している。メディアプレーヤ１００は、メディアプレーヤ１００の動作全体を制御するためのマイクロプロセッサまたは制御部に関連するプロセッサ１０２を備える。メディアプレーヤ１００は、メディアアセットに関連するメディアデータをファイルシステム１０４に格納する。ファイルシステム１０４は、通例、１または複数の記憶ディスクである。あるいは、ファイルシステム１０４は、フラッシュメモリなど、書き換え可能な不揮発性メモリであってもよい。ファイルシステム１０４は、通例、大容量の記憶能力をメディアプレーヤ１００に提供する。しかしながら、ファイルシステム１０４へのアクセス時間は比較的遅いため、メディアプレーヤ１００は、さらに、キャッシュ１０６を備えてもよい。キャッシュ１０６は、例えば、半導体メモリによって実現されるランダムアクセスメモリ（ＲＡＭ）である。キャッシュ１０６への相対アクセス時間は、ファイルシステム１０４よりも大幅に短い。しかしながら、キャッシュ１０６は、ファイルシステム１０４のような大容量の記憶能力を持たない。さらに、ファイルシステム１０４は、動作時に、キャッシュ１０６よりも多くの電力を消費する。メディアプレーヤ１００は、さらに、ＲＡＭ１２０と、読み出し専用メモリ（ＲＯＭ）１２２とを備える。ＲＯＭ１２２は、実行されるプログラム、ユーティリティ、または、処理を、不揮発的に格納できる。ＲＡＭ１２０は、キャッシュ１０６用など、揮発性のデータ記憶を提供する。
【００１４】
メディアプレーヤ１００は、さらに、メディアプレーヤ１００のユーザが、メディアプレーヤ１００とやり取りすることを可能にするユーザ入力デバイス１０８を備える。例えば、ユーザ入力デバイス１０８は、ボタン、キーパッド、ダイヤル、ホイールなど、様々な形態を取りうる。さらに、メディアプレーヤ１００は、ユーザに対して情報を表示するために、プロセッサ１０２によって制御可能なディスプレイ１１０（スクリーンディスプレイ）を備える。データバス１１６は、少なくとも、ファイルシステム１０４、キャッシュ１０６、プロセッサ１０２、および、コーデック１１２の間のデータ転送を容易にすることができる。メディアプレーヤ１００は、さらに、データリンク１１８に接続するバスインターフェース１１６を備える。データリンク１１８は、メディアプレーヤ１００がホストコンピュータに接続することを可能にする。
【００１５】
一実施形態では、メディアプレーヤ１００は、複数のメディアアセット（例えば、曲）をファイルシステム１０４に格納するよう機能する。ユーザが、メディアプレーヤに特定のメディア項目を再生させたい場合、利用可能なメディアアセットのリストが、ディスプレイ１１０に表示される。次いで、ユーザ入力デバイス１０８を用いて、ユーザは、利用可能なメディアアセットの１つを選択できる。プロセッサ１０２は、特定のメディア項目の選択を受信すると、特定のメディア項目のためのメディアデータ（例えば、オーディオファイル）をコーダ／デコーダ（コーデック）１１２に提供する。次いで、コーデック１１２は、スピーカ１１４のためのアナログ出力信号を生成する。スピーカ１１４は、メディアプレーヤ１００の内部のスピーカであってもよいし、メディアプレーヤ１００の外部のスピーカであってもよい。例えば、メディアプレーヤ１００に接続したヘッドホンまたはイヤホンは、外部スピーカと見なされる。
【００１６】
例えば、具体的な一実施形態では、利用可能なメディアアセットは、利用可能なメディアアセットに対して適切な、選択された数および種類の分類に基づいて、階層的に配列される。例えば、メディアプレーヤ１００が音楽プレーヤである場合、利用可能なメディアアセットは、少なくとも部分的にファイルシステム１０４内に格納されたオーディオファイル（それぞれ、デジタルコード化された曲またはその他の音声に対応する）の形態を取る。利用可能なメディアアセット（すなわち、この例では曲）は、適切であると考えられる任意の方法で分類されてよい。配列の一例では、曲は、第１レベルにおける音楽ジャンルのリスト、第２レベルにおける各ジャンルに関連するアーティストのリスト、第２レベルに挙げられた各アーティストについての第３レベルにおけるアルバムのリスト、第３レベルに挙げられた各アルバムについての第４レベルにおける曲のリストなど、として階層的に配列されてよい。
【００１７】
したがって、図２は、本発明の一実施形態に従って、格納されたメディアアセットの中でユーザが関心を持ったものをナビゲート（navigate）するために用いられる階層的に並べられたメニュー２００を示す図である。記載した実施形態では、メニュー２００は、特定のレベル内に属する特定の項目を調べて最終的に選択するために、ユーザがそのレベル内で垂直にスクロールを行うことによってナビゲートされることに注意されたい。選択が実行されると、メニュー２００は、選択された項目に関連する低位のインターフェースに、自動的に水平移行する。例えば、第１レベルにおいて、利用可能なオーディオファイルに対応する音楽ジャンルリスト２０２（ロック、ジャズ、ヒップホップ）が表示される。特定の音楽ジャンルを選択するために、ユーザは、所望の入力項目に到達するまで、リスト２０２を「垂直下向き」にスクロールする（これは、通常、矢印などのポインタ、または、隣接する項目を強調表示することによって実現される）。特定の音楽ジャンル（例えば、ロック）を選択すると、自動的な垂直移行２０３により、選択されたロックジャンルに対応するロックアーティストリスト２０４ａの表示を含む下位のインターフェースに移行する。ロックアーティストリスト２０４ａ内で垂直方向にスクロールした後に再び、ユーザは、リスト２０４ａに挙げられたロックアーティストの内の特定のアーティストを選択し、その結果、別の自動的な垂直移行２０５によって、選択されたアーティストに関連するアルバム２０６ａを（適切であれば、アルバムリスト２０６から）表示する下位のインターフェース２０６に移行する。この手順は、（選択されたアルバムに含まれる）曲リスト２０８から特定の曲２０８ａが選択されるまで続けられる。選択されると、曲２０８ａは、選択された曲２０８ａに関連する情報を一部の例において含みうる曲再生インターフェース２１０において、上述したように再生される準備が整う。
【００１８】
図３は、本発明の一実施形態に従って、格納された１群のメディアアセットの内の特定の１つを選択するための特定の処理３００を示すフローチャート３００である。したがって、動作３０２において、第１の階位のユーザ選択可能な項目のリストを有する第１の階位のユーザインターフェースが表示される。図２の例では、第１の階位のユーザインターフェースは、ジャンルリスト２０２であり、第１の階位のユーザ選択可能な項目は、リストされた様々なジャンルに対応する。次に、動作３０４において、ユーザ選択可能な項目の内の少なくとも１つが選択される。次いで、動作３０６において、選択された項目に対応する下位のユーザインターフェースへの自動的な移行が実行され、ほぼ同時に、そのインターフェースが表示される。動作３０８において、最後に選択された項目に基づいて、さらなる階位のユーザインターフェースが存在するか否かが判定される。例えば、図２によると、リスト２０２からロックジャンルを選択することにより、下位のユーザインターフェースへの自動的な移行が開始され、ほぼ同時に、ロックアーティストリスト２０４ａの表示が開始される。この処理は、最下位のインターフェース（すなわち、「曲再生」ディスプレイ２１０）に到達するまで続けられ、到達した時点で、選択処理は終了して、選択されたメディアアセットが再生される。
【００１９】
図４は、本発明の一実施形態に従って、（プレーヤ１００に沿って）メディアプレーヤの一例に対してユーザによる入力を提供するのに適したユーザインターフェースを示す状態図４００である。簡単のため、１つの選択項目（すなわち、アーティスト）に対応する１つの選択経路だけを図示していることに注意されたい。したがって、ホームインターフェース４０２は、ユーザによってそれぞれ選択可能な「プレイリスト」項目４０４と、「アーティスト」項目４０６と、「曲」項目４０８とを含むリストを提供する。各項目は、少なくともファイルシステム１０４に格納されたマルチメディアアセット（この例では、オーディオファイル）の特定の分類に関連付けられていることに注意されたい。例えば、「プレイリスト」項目４０４は、多くのカスタマイズ可能なプレイリスト（すなわち、適切と思われるように、任意の階位および分類においてなされたアーティスト、曲、アルバムなどの一覧）に関連付けられており、「アーティスト」項目４０６は、ファイルシステム１０４などに曲が格納された特定のアーティストに関連付けられている。
【００２０】
したがって、ユーザが、「プレイリスト」項目４０４、「アーティスト」項目４０６、または、「曲」項目４０８のいずれかを選択すると、選択した項目に対応する下位のユーザインターフェースへの自動的な移行が起きる。例えば、ユーザが、「アーティスト」項目４０６を選択すると、「アーティスト」ユーザインターフェース４１２への自動的な移行４１０が起こり、そこにおいて、同時に、（すべてのアーティストと関連付けられた）「すべて」項目４１４と具体的なアーティストのリスト４１６とが表示される。図示されていないが、ユーザが、「曲」項目４０８に関連付けられた曲のリストから特定の曲を選択した場合に、ディスプレイは、選択された曲が再生されている（または、再生の準備ができている）ことを、適切と思われる他の任意のデータまたは情報と共に示す「再生中」インターフェース（図示せず）に直接自動的に移行することに注意されたい。
【００２１】
「アーティスト」ユーザインターフェース４１２において１回、ユーザは具体的なアーティストのリスト４１６から所望のアーティストを選択することによって特定のアーティストを選択する選択肢と、「すべて」項目４１４を呼び出すことによりすべてのアーティストを選択する選択肢とを有する。例えば、ユーザが、「すべて」項目４１４を呼び出すことによりすべてのアーティストを選択すると、下位の「アルバム」インターフェース４１８への自動的な移行が起こり、そこで、すべてのアーティストのすべての曲に対応する「すべて」項目４２０と、すべてのアーティストの具体的なアルバムのリスト４２２とが、同時に表示される。例えば、ユーザが、具体的なアルバムのリスト４２２から特定のアルバムを選択した場合には、選択アルバムのすべての曲のリスト４２６を表示するさらに下位の「曲」インターフェース４２４への自動的な移行が起きる。ここで、ユーザが、特定の曲を選択すると、選択された曲に対応する曲情報表示４３０を含む再生中インターフェース４２８への自動的な移行が起きる。
【００２２】
一方、ユーザが、「アルバム」インターフェース４１８において「すべて」項目４２０を呼び出した場合には、「曲」インターフェース４２４が、すべてのアーティストのすべての曲のリスト４３２を表示する。ここで、ユーザが、すべての曲のリスト４３２から特定の曲を選択すると、選択された曲に対応する曲情報表示４３０を含む「再生中」インターフェース４２８への自動的な移行が起きる。
【００２３】
「すべて」項目４１４を呼び出す代わりに、ユーザが、アーティストのリスト４１６から特定のアーティストを選択した場合にも、同様の手順を辿ることができる。この場合、特定のアーティストを選択する動作は、メディアプレーヤ内に格納された選択アーティストのすべての曲を示す「すべて」項目４３８と、メディアプレーヤ内に格納された選択アーティストのすべてのアルバムのリスト４４０とを含む「選択アーティスト」インターフェース４３６への自動的な移行を開始する。アルバムのリスト４４０から複数のアルバムの内の１つを選択すると、選択アルバムに関連付けられたすべての曲のリスト４４２を含む「曲」インターフェース４２４への自動的な移行が起きる。一方、「すべて」項目４３８を呼び出すと、選択アーティストのすべての曲のリスト４４４を有する「曲」インターフェース４２４への自動的な移行が起きる。「曲」インターフェース４２４において１回、ユーザは、挙げられた曲のいずれかを自由に選択し、その結果、「再生中」インターフェース４２８への自動的な移行が起きる。例えば、選択アーティストのすべての曲のリスト４４４に挙げられた曲の内の１つの曲を選択する、または、選択アルバムのすべての曲のリスト４４２から１つの曲を選択すると、それぞれ、曲情報表示４４６または４４８の表示と同時に「再生中」インターフェース４２８への自動的な移行が起きる。
【００２４】
上述の手順は、ユーザが、選択した経路に沿っていずれの方向にも進むことができる点で、経路について双方向であることに注意されたい。また、一部の実施形態では、中間インターフェースを表示することなしに、「再生中」インターフェース４２８からホームインターフェース４０２（および、その逆）へ、直接的に移行することが望ましい。
【００２５】
図５Ａないし５Ｅは、本発明の一実施形態に従って、メディアアセットの選択および再生に適したユーザインターフェースの様々な例を示す図である。図５Ａないし５Ｅに示す様々なユーザインターフェースは、上述のホームインターフェース４０２、「アーティスト」インターフェース４１２、「アルバム」インターフェース４１８、「曲」インターフェース４２４、および、「再生中」インターフェース４２８の特定の実施形態に対応することに注意されたい。したがって、記載されているインターフェースの各々は、ディスプレイ５０２と、中央ボタン５０６、セレクタホイール５０８、および、セレクタ５１０ないし５１６を含むユーザ入力デバイス５０４とを有する典型的なメディアプレーヤ５００に組み込まれることにも注意されたい。この特定の実施形態において、セレクタ５１０ないし５１６は、「１つ上のレベルに戻る」５１０、「巻き戻し」５１２、「再生／一時停止」５１４、および、「早送り」５１６であることに注意されたい。したがって、図５Ａは、ディスプレイ５０２に表示されたホームインターフェース４０２の具体的な実施例を示す。「アーティスト」項目４０６を選択するために、ユーザは、（半透明の強調表示バー５１８によって示されるように）「アーティスト」項目４０６が選択可能になるまで、時計回りまたは反時計回りに（もしくは、それらの任意の適切な組み合わせで）セレクタホイール５０８を回転させる。所望の項目が強調表示されると、ユーザは、例えば、中央ボタン５０６を押すことによって選択プロトコルを呼び出して、強調表示された項目を選択する。選択がなされると、ホームインターフェース４０２は、すぐに、図５Ｂに示すように、「アーティスト」インターフェース４１２に移行する。ホームインターフェース４０２における「アーティスト」項目４０６の選択と同様に、ユーザ入力デバイス５０４のいずれか（セレクタホイール５０８など）の操作と、中央ボタン５０６を押すことを含みうる適切な選択イベントとを組み合わせて行うことにより、特定のアーティスト（または、すべてのアーティスト）が選択される。このように、ユーザは、ユーザが最も便利で効率的であると考える任意の方法で、ユーザ入力メニューをナビゲートすることができる。スタック表示バー５２０は、特定の選択された群に関連付けられた項目のスタックに関して、選択された項目の相対位置を示すことに注意されたい。したがって、図５Ｃないし５Ｅは、本発明の実施形態に従った様々なユーザインターフェースの例を示す。
【００２６】
さらに別の実施形態において、個人用通信デバイスは、携帯電話、ＰＤＡ、または、その他同様のデバイスなど、無線通信デバイスの形態を取る。個人用通信デバイスの一例は、図６に示された携帯電話６００である。携帯電話６００は、ユーザへの情報の提供に有用な複数のアイコン（図示せず）の内の任意のものを表示するのに適したディスプレイ６０２と、複数の入力キー６０４（この例では、電話のダイヤル、テキストメッセージなどに有用な電話の入力文字を表す）と、ユーザが表示されたアイコンの間でナビゲートすることを可能にするナビゲーションツール６０６と、を備える。例えば、ユーザは、ナビゲーションツール６０６を用いて、以前にダイヤルした電話番号を検索して表示することができる。記載されている実施形態では、ナビゲーションツール６０６は、上ポインタ６０８、下ポインタ６１０、右ポインタ６１２、および、左ポインタ６１４など、複数のナビゲーション入力デバイスの内の任意のものを備える。それらポインタの各々は、ディスプレイ６０２上での特定の目に見える動作を引き起こす、それぞれに対応したナビゲーション命令を携帯電話６００に提供する。セレクタ６１６は、ユーザが、指定された（例えば、強調表示された）アイコンを選択することを可能にする。
【００２７】
携帯電話として利用される時には、後にユーザが取り出してアクセスできるように、任意の数の有用な個人データファイルを、携帯電話６００に組み込まれたメモリデバイス（図示せず）内にロードすることができる。しかしながら、別の実施形態では、無線通信デバイスを、上述したのとほとんど同じように、マルチメディアプレーヤとして利用することができることに注意されたい。しかしながら、特に有用な実施形態では、無線通信デバイスは、携帯電話の機能を提供すると共に、ＡＡＣまたはＭＰ３ファイルなどのマルチメディアアセットファイルの格納および再生を実現することができる。この場合、携帯電話／マルチメディアプレーヤは、無線でリモートサーバと同期する。一部の例では、携帯電話／マルチメディアプレーヤ６００は、本発明の一実施形態に従って同期処理７００のフローチャートを示す図７および図８に示すように、周期的に無線によって、ホストコンピュータ（例えば、パーソナルコンピュータ）と同期する。同期処理７００は、例えば、有線または無線データリンクを介して無線通信デバイスと接続するホストコンピュータによって実行される。メディアデバイス同期処理７００は、ネットワークを介してホストコンピュータとやり取りするメディアデバイスによって実行される。例えば、メディアデバイスは、図１に示したメディアプレーヤ１００に関連してよい。
【００２８】
図７に示すように、メディアデバイス同期処理７００は、一般に、メディアデバイスの電源投入時に、メディアデバイス上で動作する。最初に、判断動作７０２によって、メディアデバイスがホストコンピュータに接続されたか否かが判断される。メディアデバイスが無線通信デバイスである場合、無線通信デバイスは、無線ネットワークを介してホストコンピュータに接続できる。メディアデバイスがホストコンピュータに接続されていないと、判断動作７０２が判断した場合、メディアデバイスは、動作７０４において、メディアプレーヤとして動作する。かかるモードでは、メディアデバイスは、ユーザのためにメディア項目を閲覧、検索、または、再生するよう動作する。このメディア項目は、オーディオ項目（例えば、曲）であってよい。動作７０４に続いて、メディアデバイス同期処理７００は、元に戻って判断動作７０２およびその後の動作を繰り返す。
【００２９】
一方、メディアデバイスがホストコンピュータに接続されたと、判断動作７０２が判断した場合、メディアデバイスは、動作７０６において、ハードディスクモードにされる。ハードディスクモードでは、メディアデバイスは、ホストコンピュータの外部ハードドライブとして機能する。次に、判断動作７０８によって、ホストコンピュータが、メディアデバイス上に存在するメディア項目についてのメディアおよび／またはプログラム可能ボタンの属性を要求したか否かが判断される。ホストコンピュータが、メディアおよび／またはプラグラム可能ボタンの属性を要求していないと、判断動作７０８が判断した場合、メディアデバイスは、同期以外の目的（図示せず）で他のハードドライブ動作を実行してもよいし実行しなくてもよい。ホストコンピュータが、メディアおよび／またはプラグラム可能ボタンの属性を要求している（すなわち、読み込み動作などによって）と、判断動作７０８が判断した場合、メディアデバイス上に格納されたメディア項目のメディアおよび／またはプラグラム可能ボタンの属性が、動作７０１において取り出される。メディアおよび／またはプラグラム可能ボタンの属性が、動作７１０で取り出された後に、メディア属性は、動作７１２において、ホストコンピュータに送信される。
【００３０】
ここで、図８によると、メディアデバイスにおいて、新しいおよびまたはメディアファイル属性がホストコンピュータから受信されたか否かが、判断動作７１４によって判断される。換言すると、メディアデバイス上に存在するメディアコンテンツおよび／またはメディア属性を、ホストコンピュータに存在するメディアコンテンツと同期させるために、メディアデバイスは、頻繁に、ホストコンピュータからメディアコンテンツを受信する。したがって、判断動作７１４は、新しいメディア項目が、受信されたか否か、または、現在受信されているか否かを判断する。かかる新しいメディア項目が受信されていないと、判断動作７１４が判断した場合、メディアデバイス同期処理７００は、かかる新しいメディア項目を待つことができる。新しいメディア項目を待つ間に、メディアデバイスは、同期以外の目的（図示せず）で他のハードドライブ動作を実行してもよいし実行しなくてもよい。より一般的には、他のハードドライブ動作は、同期動作と同時に実行されてよい。一方、新しいメディア項目がホストコンピュータから受信されたと、判断動作７１４が判断した場合、新しいメディア項目およびそれらに関連するメディア属性が、動作７１６において、メディアデバイスに格納される。一実施形態では、新しいメディア項目は、メディアデバイス内のファイルに格納され、メディア項目に関連するメディア属性は、メディアデバイス上に存在するメディアデータベースに格納される。さらに、任意の不必要なメディア項目およびそれらに関連するメディア属性、または、プログラム可能ボタン属性が、動作７１８において、メディアデバイスから削除されてよい。したがって、この実施形態では、メディアデバイス上に存在するメディアコンテンツをホストコンピュータ上のメディアコンテンツに同期させることにより、新しいメディア項目がメディアデバイスに格納されるだけでなく、不必要な（例えば、古い）メディア項目およびそれらに関連するメディア属性がメディアデバイスから削除される。
【００３１】
動作７１８に続いて、判断動作７２０によって、プレイリスト更新が受信されたか否かが判断される。プレイリスト更新が受信されていないと、判断動作７２０が判断した場合、メディアデバイス同期処理７００は、かかるプレイリスト更新を待つことができる。また、プレイリスト更新が受信されたと、判断動作７２０が判断した場合、メディアデバイスのための更新されたプレイリストが、動作７２２で生成される。プレイリスト更新は、更新されたプレイリストであってもよいし、既存のプレイリストを更新するための命令であってもよい。次いで、更新されたプレイリストは、動作７２２において、メディアデバイスに格納される。
【００３２】
実際的には、ホストコンピュータにある１または複数のプレイリストが、メディアデバイスに同期されることで、メディアデバイスによって利用可能になる。プレイリストは、順番に再生される特定のメディア項目を識別するものである。内部的には、プレイリストは、メディアデータベース内において、メディアデバイス内の記憶デバイスに存在する適切なメディア項目のファイルを指し示すデータ構造として表される。したがって、所与のプレイリストについて、メディアデバイス上の適切なメディア項目のファイルへのポインタが、ホストコンピュータ上の同じメディア項目のファイルへのポインタと異なる場合があるため、特定のプレイリストがホストコンピュータとメディアデバイスとの間で移動された場合には、ポインタを更新する必要がある。
【００３３】
無線通信デバイス（例えば、携帯電話６００）が適切に同期されると、ユーザは、そこに格納された複数のオーディオファイルのいずれかを選択することができるようになる。この選択処理を容易にするために、一実施形態において図９ないし２７に示す形態を有する階層的に配列されたグラフィカルユーザインターフェースが、ディスプレイ（例えば、ディスプレイ６０２）に提示されてよい。以下の説明では、無線通信デバイスは、複数のオーディオ（すなわち、音楽および曲）ファイルを格納されていることが前提になっていることに注意されたい。このように、無線通信デバイスは、携帯電話／メディアプレーヤを組み合わせたデバイス、または、同様に構成されたその他の任意のデバイスであってよい。
【００３４】
したがって、図９Ａないし９Ｃは、それぞれ、「メインメニュー」スクリーン９００、９０４、および、９０６を示しており、各「メインメニュー」スクリーンは、無線通信デバイスの特定の動作状態（すなわち、図９Ａでは停止中、図９Ｂでは再生中、図９Ｃでは一時停止中）に関連している。一般に、メインメニュースクリーンは、グラフィカルユーザインターフェースのホームスクリーンであり、そこから、ユーザは、少なくとも、無線通信デバイスに格納されたオーディオファイルのライブラリ内のマスタープレイリスト、アーティストのリスト、アルバムのリスト、および、曲のリストを見ることができる。メインメニュースクリーンは、さらに、ユーザが動作を要求することを可能にすることができる。例えば、メインメニュースクリーン９０２は、グラフィカルユーザインターフェース内に「曲のシャッフル」項目を備えており、その項目が選択されることによって、シャッフル動作が実行される。別の例として、メインメニュースクリーン９０４および９０６は、グラフィカルユーザインターフェース内に「再生中」項目を備えており、その項目が選択されることによって、再生中のメディア項目のメディア属性情報が表示される。上述の格納データのリストに加えて、各スクリーンは、１または複数のソフトキー機能を提供する。ソフトキー機能は、個人用通信デバイスの動作状態に応じて、終了（Exit）アイコン、再生（Play）アイコン、および、一時停止（Pause）アイコンを含みうる。
【００３５】
図１０は、本発明の一実施形態に従って、「プレイリスツ（Playlists）」スクリーン１０００の具体的な一例を示す図である。図１０に示す例では、「プレイリスツ」スクリーン１０００は、マスタープレイリスト１００２を含めてマスタープレイリスト１００２から作成された、無線通信デバイスに追加されたすべてのプレイリストの名前を表示している。なお、マスタープレイリスト１００２は、無線通信デバイスに格納されたすべてのトラックを含むものである。「プレイリスツ」スクリーン１０００から、ユーザは、プレイリスト内のトラックを見たり、プレイリスト内の最初のトラックの再生を開始したりすることができる。
【００３６】
図１１は、本発明の一実施形態に従って、「プレイリスト（Playlist）」スクリーン１１００の具体的な一例を示す図である。「プレイリスト」スクリーンは、現在のプレイリスト内のトラックの名前を、再生される順序で表示する。ユーザは、プレイリスト内のトラックの順序を、望むように並べることができる。
【００３７】
図１２は、本発明の一実施形態に従って、「アーティスト（Artists）」スクリーン１２００の具体的な一例を示す図である。アーティストスクリーン１２００は、無線通信デバイスに格納されたすべてのアーティストのリストを、アルファベット順など、任意の適切な順序で表示する。アーティストスクリーン１２００から、ユーザは、或るアーティストによるすべてのアルバムを見たり、アーティストによるすべてのトラックの再生を開始したりすることができる。
【００３８】
図１３は、本発明の一実施形態に従って、アルバムスクリーン１３００の具体的な一例を示す図である。アルバムスクリーン１３００は、無線通信デバイスに格納されたアルバムのリストを、アルファベット順、ユーザが設定した順序、または、デバイスに追加された順序など、任意の適切な順序で表示する。メインメニュースクリーン９００から移行すると、無線通信デバイスに格納されたすべてのアルバムが、「すべてのアルバム（All Albums）」スクリーン１３０２に表示される。アーティストスクリーン１２００から移行すると、選択されたアーティストのアルバムが、特定のアルバムスクリーン１３０４に表示される。アルバムスクリーン１３００から、ユーザは、或るアルバム内のすべてのトラックを見たり、アルバム内のすべてのトラックの再生を開始したりすることができる。
【００３９】
図１４は、本発明の一実施形態に従って、曲スクリーン１４００の具体的な一例を示す図である。曲スクリーン１４００は、トラック名のリストを、アルファベット順、ユーザが設定した順序、または、デバイスに追加された順序など、任意の適切な順序で表示する。メインメニュースクリーン９００から移行すると、ライブラリ内のすべてのトラックが、「すべての曲（All Songs）」スクリーン１４０２に表示される。アルバムスクリーン１３００から移行すると、選択されたアルバムのトラックが、特定の曲スクリーン１４０４に表示される。
【００４０】
図１５ないし２０は、本発明の一実施形態に従って、「再生中」スクリーンの具体的な一例を示す図である。図１５に示すように、一般的に、「再生中（Now Playing）」スクリーンは、現在再生中のトラックのメタデータ情報を、再生進行情報と共に表示し、特に、再生順序における現在のトラックのインデックス１５０２と、再生順序におけるトラックの総数１５０４とを表示する。メタデータ情報は、アーティスト名、アルバム名、トラック名、および、任意の利用可能なアルバムアートワーク画像１５０６を含む。記載されている実施形態では、トラック名は、スクリーンの幅よりも広い場合に、水平方向にスクロールする。さらに、現在のプレイリストに対するリピートおよびシャッフルの設定が、右上の角（１５０８）にアイコンによって示される。記載されている実施形態では、「再生中」スクリーンは、５つのモードを有しており、それぞれが、特定の表示スクリーンを有する。５つのモードとは、進行モード（図１６の進行モードスクリーン１６００）、アートワークモード（図１７のアートワークモードスクリーン１７００）、位置モード（図１８の位置モードスクリーン１８００）、レイティングモード（図１９のレイティングモードスクリーン１９００）、および、音量モード（図２０の音量モードスクリーン２０００）である。
【００４１】
図１６によると、進行モードにおいて、進行モードスクリーン１６００は、現在のトラックの経過時間および残り時間と共に、進行バー１６０２を表示する。アートワークモード（図１７）において、アートワークモードスクリーン１７００は、現在のトラックのアートワークが利用可能であれば、全画面表示のアートワーク画像１７０２を表示する。位置モード（図１８）において、位置モードスクリーン１８００（アートワーク有りまたは無し）は、位置インジケータ１８０４と共に進行バー１８０２を表示して、ユーザが、現在のトラックの再生位置を調節することを可能にする。レイティングモード（図１９）において、レイティングモードスクリーン１９００（アートワーク有りまたは無し）は、現在のトラックに対するユーザレイティング１９０２を表示して、ユーザがレイティングを変更することを可能にしてよい。音量モード（図２０）において、音量モードスクリーン２０００（アートワーク有りまたは無し）は、プレーヤの現在の音量レベル２００２を表示して、ユーザが音量レベルを調節することを可能にする。
【００４２】
図２１は、本発明の一実施形態に従って、状況メニュースクリーン２１００を示す図である。状況メニュースクリーン２１００は、ソフトキーによってアクセス可能なスクリーンであり、利用頻度の低い選択、設定、または、情報を表示する。
【００４３】
図２２は、本発明の一実施形態に従って、「情報（about）」スクリーン２２００を示す図である。情報スクリーン２２００は、ライブラリ内のトラックの総数、無線通信デバイスが対応するトラックの最大数、内部メモリ（フラッシュメモリカードなど）の容量（capacity）、内部メモリの空き容量（avaliable space）、および、無線通信デバイスで利用されているソフトウェアアプリケーションの現在のバージョン（Version）を含む統計情報を表示する。
【００４４】
図２３は、本発明の一実施形態に従って、「著作権情報（Legal）」スクリーン２３００を示す図である。著作権情報スクリーン２３００は、無線通信デバイスおよびその中の任意のアプリケーションに関する著作権およびその他の法律情報を表示する。
【００４５】
図２４は、本発明の一実施形態に従って、削除メニュースクリーン２４００を示す図である。削除メニュースクリーン２４００は、いわゆるダウンロード時削除モード（delete-on-download mode）で表示される。それにより、ユーザは、無線通信デバイスから１または複数のトラックを削除して、無線でダウンロードされるコンテンツのために内部メモリ上の空間を解放することができる。削除メニュースクリーン２４００は、さらに、必要な空き容量（space needed）を示す。
【００４６】
図２５は、本発明の一実施形態に従って、アーティスト削除クリーン２５００を示す図である。アーティスト削除スクリーン２５００は、無線通信デバイスに格納されたすべてのアーティストのリストを表示して、ユーザが、或るアーティストのアルバムを見ること、および、無線通信デバイス上のアーティストのトラックすべてを削除することを可能にする。アーティスト削除スクリーン２５００は、さらに、必要な空き容量（space needed）を示す。
【００４７】
図２６は、本発明の一実施形態に従って、アルバム削除スクリーン２６００を示す図である。アルバム削除スクリーン２６００は、デバイスに格納されたすべてのアルバムのリストを表示して、ユーザが、或るアルバムのトラックすべてを見ること、および、或るアルバムのトラックすべてを削除することを可能にする。削除メニュースクリーン２４００から移行すると、無線通信デバイス内のすべてのアルバムが表示される（２６０２）。アーティスト削除スクリーン２５００から移行すると、選択されたアーティストのアルバムが表示される（２６０４）。
【００４８】
図２７は、本発明の一実施形態に従って、曲削除スクリーン２７００を示す図である。曲削除スクリーン２７００は、リスト内のトラックの名前およびサイズを表示して、ユーザが、１または複数の曲をライブラリから削除することを可能にする。削除メニュースクリーン２４００から移行すると、すべての曲が表示される（２７０２）。また、アルバム削除スクリーン２６００から移行すると、選択されたアルバムのトラックが表示される（２７０４）。
【００４９】
本明細書に記載した表示スクリーンの各々は、表示されている特定のスクリーンによって機能が決まる多くのユーザ起動アイコンを提供することに注意されたい。例えば、図９Ａによると、停止モードおよび一時停止モードでは、ユーザ起動アイコンは、終了（Exit）アイコン、ソフトキーアイコン、および、再生（Playing）アイコンを含み、一方、再生モードでは、再生アイコンの代わりに一時停止（Pause）アイコンを含む。さらに、加速機能を有する特定のユーザ入力ボタンまたはキーを、一定期間押下すると、加速機能によって、観察される結果としての動作（例えば、再生位置を前へ進める動作）を、所定の方法で加速させることができる。再生位置を移動させる例を用いると、いわゆる長押し入力（すなわち、所定の閾値よりも長い時間、キーを押下する動作）を早送りハードキーに対して実行することにより、所定の時間間隔の増分（５秒など）で始まり、再生位置キーが押下されている間、より大きい時間間隔の増分で加速して、再生位置を前へ進めることができる。一部の実施形態では、一定期間後、そのモードは別のモードに（例えば、進行モード）に切り替わる。
【００５０】
図２８は、本発明の一実施形態に従って、加速された結果の動作を説明する処理２８００の詳細を示すフローチャートである。処理２８００は、キーの押下が実行されたか否かを判定する動作２８０２から始まる。キーの押下が実行された場合、動作２８０４において、対応する結果の動作が開始され、動作２８０６において、キー押下時間が増分（例えば、５秒）される。動作２８０８において、総キー押下時間（すなわち、そのキーが押下された総時間長）が、所定の時間長閾値と比較される。キー押下の総時間長が、所定の閾値よりも短い場合、動作２８１０において、キー押下がまだ継続しているか否かが判定される。キー押下がまだ継続している場合、制御は動作２８０６に戻り、キー押下時間が増分され、継続していない場合には、処理２８００は終了する。一方、動作２８０８において、総キー押下時間が、所定の時間長閾値よりも長いと判定された場合には、動作２８１２において、総キー押下時間に応じた加速係数が、結果として生じる動作に対して適用される。キーが押下されている間に実行される加速挙動は、トラックの頭および最後に対する現在の再生位置の位置関係も考慮する。より具体的には、再生位置が、早送り中にトラックの最後に近づく、または、巻き戻し中にトラックの頭に近づくと、より正確な位置決めを可能にして、トラックの最後または頭を行き過ぎることをさけるために、加速率が自動的に減少する。一部の実施形態では、一定期間後、そのモードは別のモードに（例えば、進行モード）に切り替わる。
【００５１】
図２９Ａ、２９Ｂ、および、３０は、本発明の一実施形態に従って、スクリーンの流れの例を示す図である。図２９Ａおよび２９Ｂは、メインメニュースクリーンの流れを示しており、図３０は、状況メニューの流れを示している。
【００５２】
図３１から６３は、本発明の一実施形態に従って、リスト項目、ソフトキー、および、ハードキーについて、上述のメニュースクリーンごとの動作テーブルを示す図である。
【００５３】
図３１は、本発明の一実施形態に従って、メインメニュースクリーンのリスト項目の動作テーブルを示す図である。
【００５４】
図３２は、本発明の一実施形態に従って、メインメニュースクリーンのソフトキーの動作テーブルを示す図である。
【００５５】
図３３は、本発明の一実施形態に従って、メインメニュースクリーンのハードキーの動作テーブルを示す図である。
【００５６】
図３４は、本発明の一実施形態に従って、「プレイリスト」スクリーンのリスト項目の動作テーブルを示す図である。
【００５７】
図３５は、本発明の一実施形態に従って、「プレイリスト」スクリーンのソフトキーの動作テーブルを示す図である。
【００５８】
図３６は、本発明の一実施形態に従って、「プレイリスト」スクリーンのハードキーの動作テーブルを示す図である。
【００５９】
図３７は、本発明の一実施形態に従って、「プレイリスツ」スクリーンのリスト項目の動作テーブルを示す図である。
【００６０】
図３８は、本発明の一実施形態に従って、「プレイリスツ」スクリーンのソフトキーの動作テーブルを示す図である。
【００６１】
図３９は、本発明の一実施形態に従って、「プレイリスツ」スクリーンのハードキーの動作テーブルを示す図である。
【００６２】
図４０は、本発明の一実施形態に従って、アーティストスクリーンのリスト項目の動作テーブルを示す図である。
【００６３】
図４１は、本発明の一実施形態に従って、アーティストスクリーンのソフトキーの動作テーブルを示す図である。
【００６４】
図４２は、本発明の一実施形態に従って、アーティストスクリーンのハードキーの動作テーブルを示す図である。
【００６５】
図４３は、本発明の一実施形態に従って、アルバムスクリーンのリスト項目の動作テーブルを示す図である。
【００６６】
図４４は、本発明の一実施形態に従って、アルバムスクリーンのソフトキーの動作テーブルを示す図である。
【００６７】
図４５は、本発明の一実施形態に従って、アルバムスクリーンのハードキーの動作テーブルを示す図である。
【００６８】
図４６は、本発明の一実施形態に従って、曲スクリーンのリスト項目の動作テーブルを示す図である。
【００６９】
図４７は、本発明の一実施形態に従って、曲スクリーンのソフトキーの動作テーブルを示す図である。
【００７０】
図４８は、本発明の一実施形態に従って、曲スクリーンのハードキーの動作テーブルを示す図である。 
【００７１】
図４９は、本発明の一実施形態に従って、「再生中」スクリーンのリピートインジケータおよびシャッフルインジケータの動作テーブルを示す図である。
【００７２】
図５０は、本発明の一実施形態に従って、「再生中」スクリーンのソフトキーの動作テーブルを示す図である。
【００７３】
図５１Ａないし５１Ｄは、本発明の一実施形態に従って、「再生中」スクリーンのハードキーの動作テーブルを示す図である。
【００７４】
図５２は、本発明の一実施形態に従って、状況メニュースクリーンのリスト項目の動作テーブルを示す図である。
【００７５】
図５３は、本発明の一実施形態に従って、状況メニュースクリーンのソフトキーの動作テーブルを示す図である。
【００７６】
図５４は、本発明の一実施形態に従って、状況メニュースクリーンのハードキーの動作テーブルを示す図である。
【００７７】
図５５は、本発明の一実施形態に従って、情報スクリーンのリスト項目の動作テーブルを示す図である。
【００７８】
図５６は、本発明の一実施形態に従って、情報スクリーンのソフトキーの動作テーブルを示す図である。
【００７９】
図５７は、本発明の一実施形態に従って、情報スクリーンのハードキーの動作テーブルを示す図である。
【００８０】
図５８は、本発明の一実施形態に従って、著作権情報スクリーンのソフトキーの動作テーブルを示す図である。
【００８１】
図５９は、本発明の一実施形態に従って、「著作権情報」スクリーンのハードキーの動作テーブルを示す図である。
【００８２】
図６０は、本発明の一実施形態に従って、削除メニュースクリーンのリスト項目の動作テーブルを示す図である。
【００８３】
図６１は、本発明の一実施形態に従って、削除メニュースクリーンのソフトキーの動作テーブルを示す図である。
【００８４】
図６２は、本発明の一実施形態に従って、削除メニュースクリーンのハードキーの動作テーブルを示す図である。
【００８５】
図６３は、本発明の一実施形態に従って、アーティスト削除スクリーンのリスト項目の動作テーブルを示す図である。
【００８６】
図６４は、本発明の一実施形態に従って、アーティスト削除スクリーンのソフトキーの動作テーブルを示す図である。
【００８７】
図６５は、本発明の一実施形態に従って、アーティスト削除スクリーンのハードキーの動作テーブルを示す図である。
【００８８】
図６６は、本発明の一実施形態に従って、アルバム削除スクリーンのリスト項目の動作テーブルを示す図である。
【００８９】
図６７は、本発明の一実施形態に従って、アルバム削除スクリーンのソフトキーの動作テーブルを示す図である。
【００９０】
図６８は、本発明の一実施形態に従って、アルバム削除スクリーンのハードキーの動作テーブルを示す図である。
【００９１】
図６９は、本発明の一実施形態に従って、曲削除スクリーンのリスト項目の動作テーブルを示す図である。
【００９２】
図７０は、本発明の一実施形態に従って、曲削除スクリーンのソフトキーの動作テーブルを示す図である。
【００９３】
好ましい実施形態を参照しつつ本発明を説明したが、本発明の範囲に含まれる代替物、置換物、および、等価物が存在する。また、本発明の処理および装置を実施する多くの別の形態が存在することにも注意されたい。したがって、本発明は、本発明の主旨および範囲に含まれるすべての代替物、置換物、および、等価物をすべて網羅するよう解釈される。
【図面の簡単な説明】
【００９４】
【図１】本発明の一実施形態に従って、携帯マルチメディアデバイスの一例を示す図。
【図２】本発明の一実施形態に従って、格納されたメディアアセットに対応する階層的に配列されたメニューを示す図。
【図３】本発明の一実施形態に従って、格納された１群のメディアアセットの内の特定の１つを選択するための特定の処理を示すフローチャート。
【図４】本発明の一実施形態に従って、（図１に示したプレーヤに沿って）ＭＰ３プレーヤの一例に対してユーザによる入力を提供するのに適したユーザインターフェースを示す状態図。
【図５Ａ】本発明の一実施形態に従って、メディアアセットの選択および再生に適したユーザインターフェースの様々な例を示す図。
【図５Ｂ】本発明の一実施形態に従って、メディアアセットの選択および再生に適したユーザインターフェースの様々な例を示す図。
【図５Ｃ】本発明の一実施形態に従って、メディアアセットの選択および再生に適したユーザインターフェースの様々な例を示す図。
【図５Ｄ】本発明の一実施形態に従って、メディアアセットの選択および再生に適したユーザインターフェースの様々な例を示す図。
【図５Ｅ】本発明の一実施形態に従って、メディアアセットの選択および再生に適したユーザインターフェースの様々な例を示す図。
【図６】本発明に従って、無線通信デバイスの一例としての携帯電話を示す図。
【図７】本発明の一実施形態に従って、同期処理を示すフローチャート。
【図８】本発明の一実施形態に従って、同期処理を示すフローチャート。
【図９Ａ】個人用通信デバイスの特定の動作状態（停止）に関連するメインメニュースクリーンを示す図。
【図９Ｂ】個人用通信デバイスの特定の動作状態（再生）に関連するメインメニュースクリーンを示す図。
【図９Ｃ】個人用通信デバイスの特定の動作状態（停止）に関連するメインメニュースクリーンを示す図。
【図１０】本発明の一実施形態に従って、「プレイリスツ」スクリーンの具体的な一例を示す図。
【図１１】本発明の一実施形態に従って、「プレイリスト」スクリーンの具体的な一例を示す図。
【図１２】本発明の一実施形態に従って、「アーティスト」スクリーンの具体的な一例を示す図。
【図１３】本発明の一実施形態に従って、「アルバム」スクリーンの具体的な一例を示す図。
【図１４】本発明の一実施形態に従って、「曲」スクリーンの具体的な一例を示す図。
【図１５】本発明の一実施形態に従って、「再生中」スクリーンの具体的な一例を示す図。
【図１６】本発明の一実施形態に従って、「再生中」スクリーンの具体的な一例を示す図。
【図１７】本発明の一実施形態に従って、「再生中」スクリーンの具体的な一例を示す図。
【図１８】本発明の一実施形態に従って、「再生中」スクリーンの具体的な一例を示す図。
【図１９】本発明の一実施形態に従って、「再生中」スクリーンの具体的な一例を示す図。
【図２０】本発明の一実施形態に従って、「再生中」スクリーンの具体的な一例を示す図。
【図２１】本発明の一実施形態に従って、状況メニュースクリーンを示す図。
【図２２】本発明の一実施形態に従って、情報（about）スクリーンを示す図。
【図２３】本発明の一実施形態に従って、著作権情報（legal）スクリーンを示す図。
【図２４】本発明の一実施形態に従って、削除メニュースクリーンを示す図。
【図２５】本発明の一実施形態に従って、削除メニュースクリーンを示す図。
【図２６】本発明の一実施形態に従って、アルバム削除スクリーンを示す図。
【図２７】本発明の一実施形態に従って、曲削除スクリーンを示す図。
【図２８】本発明の一実施形態に従って、加速された結果の動作を説明する処理の詳細を示すフローチャート。
【図２９Ａ】本発明の一実施形態に従って、スクリーンの流れの例を示す図。
【図２９Ｂ】本発明の一実施形態に従って、スクリーンの流れの例を示す図。
【図３０】本発明の一実施形態に従って、スクリーンの流れの例を示す図。
【図３１】本発明の一実施形態に従って、「メインメニュー」スクリーンのリスト項目の動作テーブルを示す図。
【図３２】本発明の一実施形態に従って、「メインメニュー」スクリーンのソフトキーの動作テーブルを示す図。
【図３３】本発明の一実施形態に従って、「メインメニュー」スクリーンのハードキーの動作テーブルを示す図。
【図３４】本発明の一実施形態に従って、「プレイリスト」スクリーンのリスト項目の動作テーブルを示す図。
【図３５】本発明の一実施形態に従って、「プレイリスト」スクリーンのソフトキーの動作テーブルを示す図。
【図３６】本発明の一実施形態に従って、「プレイリスト」スクリーンのハードキーの動作テーブルを示す図。
【図３７】本発明の一実施形態に従って、「プレイリスツ」スクリーンのリスト項目の動作テーブルを示す図。
【図３８】本発明の一実施形態に従って、「プレイリスツ」スクリーンのソフトキーの動作テーブルを示す図。
【図３９】本発明の一実施形態に従って、「プレイリスツ」スクリーンのハードキーの動作テーブルを示す図。
【図４０】本発明の一実施形態に従って、「アーティスト」スクリーンのリスト項目の動作テーブルを示す図。
【図４１】本発明の一実施形態に従って、「アーティスト」スクリーンのソフトキーの動作テーブルを示す図。
【図４２】本発明の一実施形態に従って、「アーティスト」スクリーンのハードキーの動作テーブルを示す図。
【図４３】本発明の一実施形態に従って、「アルバム」スクリーンのリスト項目の動作テーブルを示す図。
【図４４】本発明の一実施形態に従って、「アルバム」スクリーンのソフトキーの動作テーブルを示す図。
【図４５】本発明の一実施形態に従って、「アルバム」スクリーンのハードキーの動作テーブルを示す図。
【図４６】本発明の一実施形態に従って、「曲」スクリーンのリスト項目の動作テーブルを示す図。
【図４７】本発明の一実施形態に従って、「曲」スクリーンのソフトキーの動作テーブルを示す図。
【図４８】本発明の一実施形態に従って、「曲」スクリーンのハードキーの動作テーブルを示す図。
【図４９】本発明の一実施形態に従って、「再生中」スクリーンのリピートインジケータおよびシャッフルインジケータの動作テーブルを示す図。
【図５０】本発明の一実施形態に従って、「再生中」スクリーンのソフトキーの動作テーブルを示す図。
【図５１Ａ】本発明の一実施形態に従って、「再生中」スクリーンの動作テーブルを示す図。
【図５１Ｂ】本発明の一実施形態に従って、「再生中」スクリーンの動作テーブルを示す図。
【図５１Ｃ】本発明の一実施形態に従って、「再生中」スクリーンの動作テーブルを示す図。
【図５１Ｄ】本発明の一実施形態に従って、「再生中」スクリーンの動作テーブルを示す図。
【図５２】本発明の一実施形態に従って、状況メニュースクリーンのリスト項目の動作テーブルを示す図。
【図５３】本発明の一実施形態に従って、状況メニュースクリーンのソフトキーの動作テーブルを示す図。
【図５４】本発明の一実施形態に従って、状況メニュースクリーンのハードキーの動作テーブルを示す図。
【図５５】本発明の一実施形態に従って、情報スクリーンのリスト項目の動作テーブルを示す図。
【図５６】本発明の一実施形態に従って、情報スクリーンのソフトキーの動作テーブルを示す図。
【図５７】本発明の一実施形態に従って、情報スクリーンのハードキーの動作テーブルを示す図。
【図５８】本発明の一実施形態に従って、著作権情報スクリーンのソフトキーの動作テーブルを示す図。
【図５９】本発明の一実施形態に従って、著作権情報スクリーンのハードキーの動作テーブルを示す図。
【図６０】本発明の一実施形態に従って、削除メニュースクリーンのリスト項目の動作テーブルを示す図。
【図６１】本発明の一実施形態に従って、削除メニュースクリーンのソフトキーの動作テーブルを示す図。
【図６２】本発明の一実施形態に従って、削除メニュースクリーンのハードキーの動作テーブルを示す図。
【図６３】本発明の一実施形態に従って、アーティスト削除スクリーンのリスト項目の動作テーブルを示す図。
【図６４】本発明の一実施形態に従って、アーティスト削除スクリーンのソフトキーの動作テーブルを示す図。
【図６５Ａ】本発明の一実施形態に従って、アーティスト削除スクリーンのハードキーの動作テーブルを示す図。
【図６５Ｂ】本発明の一実施形態に従って、アーティスト削除スクリーンのハードキーの動作テーブルを示す図。
【図６６】本発明の一実施形態に従って、アルバム削除スクリーンのリスト項目の動作テーブルを示す図。
【図６７】本発明の一実施形態に従って、アルバム削除スクリーンのソフトキーの動作テーブルを示す図。
【図６８】本発明の一実施形態に従って、アルバム削除スクリーンのハードキーの動作テーブルを示す図。
【図６９】本発明の一実施形態に従って、曲削除スクリーンのリスト項目の動作テーブルを示す図。
【図７０】本発明の一実施形態に従って、曲削除スクリーンのソフトキーの動作テーブルを示す図。
【図１】
2009508194.tif 000003
【図２】
2009508194.tif 000004
【図３】
2009508194.tif 000005
【図４】
2009508194.tif 000006
【図５Ａ】
2009508194.tif 000007
【図５Ｂ】
2009508194.tif 000008
【図５Ｃ】
2009508194.tif 000009
【図５Ｄ】
2009508194.tif 000010
【図５Ｅ】
2009508194.tif 000011
【図６】
2009508194.tif 000012
【図７】
2009508194.tif 000013
【図８】
2009508194.tif 000014
【図９Ａ】
2009508194.tif 000015
【図９Ｂ】
2009508194.tif 000016
【図９Ｃ】
2009508194.tif 000017
【図１０】
2009508194.tif 000018
【図１１】
2009508194.tif 000019
【図１２】
2009508194.tif 000020
【図１３】
2009508194.tif 000021
【図１４】
2009508194.tif 000022
【図１５】
2009508194.tif 000023
【図１６】
2009508194.tif 000024
【図１７】
2009508194.tif 000025
【図１８】
2009508194.tif 000026
【図１９】
2009508194.tif 000027
【図２０】
2009508194.tif 000028
【図２１】
2009508194.tif 000029
【図２２】
2009508194.tif 000030
【図２３】
2009508194.tif 000031
【図２４】
2009508194.tif 000032
【図２５】
2009508194.tif 000033
【図２６】
2009508194.tif 000034
【図２７】
2009508194.tif 000035
【図２８】
2009508194.tif 000036
【図２９Ａ】
2009508194.tif 000037
【図２９Ｂ】
2009508194.tif 000038
【図３０】
2009508194.tif 000039
【図３１】
2009508194.tif 000040
【図３２】
2009508194.tif 000041
【図３３】
2009508194.tif 000042
【図３４】
2009508194.tif 000043
【図３５】
2009508194.tif 000044
【図３６】
2009508194.tif 000045
【図３７】
2009508194.tif 000046
【図３８】
2009508194.tif 000047
【図３９】
2009508194.tif 000048
【図４０】
2009508194.tif 000049
【図４１】
2009508194.tif 000050
【図４２】
2009508194.tif 000051
【図４３】
2009508194.tif 000052
【図４４】
2009508194.tif 000053
【図４５】
2009508194.tif 000054
【図４６】
2009508194.tif 000055
【図４７】
2009508194.tif 000056
【図４８】
2009508194.tif 000057
【図４９】
2009508194.tif 000058
【図５０】
2009508194.tif 000059
【図５１Ａ】
2009508194.tif 000060
【図５１Ｂ】
2009508194.tif 000061
【図５１Ｃ】
2009508194.tif 000062
【図５１Ｄ】
2009508194.tif 000063
【図５２】
2009508194.tif 000064
【図５３】
2009508194.tif 000065
【図５４】
2009508194.tif 000066
【図５５】
2009508194.tif 000067
【図５６】
2009508194.tif 000068
【図５７】
2009508194.tif 000069
【図５８】
2009508194.tif 000070
【図５９】
2009508194.tif 000071
【図６０】
2009508194.tif 000072
【図６１】
2009508194.tif 000073
【図６２】
2009508194.tif 000074
【図６３】
2009508194.tif 000075
【図６４】
2009508194.tif 000076
【図６５Ａ】
2009508194.tif 000077
【図６５Ｂ】
2009508194.tif 000078
【図６６】
2009508194.tif 000079
【図６７】
2009508194.tif 000080
【図６８】
2009508194.tif 000081
【図６９】
2009508194.tif 000082
【図７０】
2009508194.tif 000083
【国際調査報告】
2009508194.tif 000084
2009508194.tif 000085
2009508194.tif 000086